(57)【要約】      （修正有）【課題】男性型脱毛症の診断を簡易に行うための手段としての診断用具を提供する。【解決手段】被診断者２の男性型脱毛症を診断するための診断用具１であって、前記被診断者２の頭頂線２２に位置合わせするための基準線１１と、前記基準線１１からの距離を表す目盛１２と、耳孔２０に位置合わせするための基準点１３が示されたシート状部材１０を含む。診断用具１を用いて、前記被診断者２の頭長線２２と角額２１との距離を測定することができ、その測定結果に基づいて、男性型脱毛症の診断を行うことができる。【選択図】図４
0003235509.tif 000002
【実用新案登録請求の範囲】
【請求項１】
被診断者の男性型脱毛症を診断するための診断用具であって、
前記被診断者の頭頂線に位置合わせするための基準線と、前記基準線からの距離を表す目盛と、が示されたシート状部材を含む、
前記被診断者の頭長線と角額との距離を測定するための、診断用具。
【請求項２】
前記基準線の上に、前記被診断者の耳孔に位置合わせするための基準点が示されている、請求項１に記載の診断用具。
【請求項３】
前記目盛が、男性型脱毛症の診断基準に基づいた距離を表す、請求項１又は２に記載の診断用具。
【請求項４】
前記目盛が、ハミルトン分類またはノーウッド分類による男性型脱毛症の診断基準に基づいた距離を表す、請求項１〜３のいずれか一項に記載の診断用具。
【請求項５】
前記目盛が、２ｃｍまたは３ｃｍを表す、請求項１〜４のいずれか一項に記載の診断用具。
【請求項６】
前記シート状部材が可撓性を有する、請求項１〜５のいずれか一項に記載の診断用具。
【請求項７】
前記シート状部材の少なくとも一部は透明である、請求項１〜６のいずれか一項に記載の診断用具。
【考案の詳細な説明】
【技術分野】
【０００１】
本考案は、男性型脱毛症の診断をするための診断用具に関する。
【背景技術】
【０００２】
脱毛症は、成長期にもかかわらず頭髪が抜ける「成長期脱毛」と成長毛が休止期に入って脱毛する「休止期脱毛」との２種類に大別される。男性型脱毛症とは、「休止期脱毛」に分類される脱毛症である。男性型脱毛症は、ＡＧＡ(Androgenetic Alopecia)とも呼ばれ、一般的に、成人男性の前頭部や頭頂部の頭髪が一定のパターンで脱毛することを特徴とする。
【０００３】
男性型脱毛症のための治療薬物として、一般用医薬品（ミノキシジルなど）のみならず、一般名デュタステリド（非特許文献１）、一般名フィナステリド（非特許文献２）などの処方箋医薬品も知られている。そのため、脱毛症患者自身だけではなく、医療機関の医師（例えば皮膚科の医師）が、男性型脱毛症の発症や進行度合などを診断する機会が増えている（非特許文献３）。
【０００４】
男性型脱毛症の発症や進行度合を判定する診断基準として、多数の分類基準が知られている。例えば、Beek (1950), Hamilton (1951), Ogata (1953), Setty (1970), Norwood (1975), Bouhanna (1976), Blanchard and Blanchard (1984), Dynamic classification ofDardour and Bouhanna (1996), Koo (2000) などが提案されている（非特許文献４）。このうち、広く使用されている分類は、ハミルトン分類（Hamilton (1951)）と、その改訂版であるノーウッド分類（ハミルトン・ノーウッド分類ともいう）（Norwood (1975)）である（非特許文献５）。なお、緒方の分類（Ogata (1953)）は日本人男性の研究に基づいたものである（非特許文献６）。前述の通り、男性型脱毛症は前頭部や頭頂部の頭髪が一定のパターンで脱毛する症状であるが、ハミルトン分類やノーウッド分類では、その脱毛の進行度や薄毛の型を７または９のパターンに分類している。
【０００５】
ハミルトン分類やノーウッド分類によれば、男性型脱毛症の診断は、被診断者の「額の頭髪の生え際」から「頭頂線」までの距離に基づいて行われる。図１には、被診断者２の頭部の頭髪２４の発毛状態（又は脱毛状態）を示す図である。図１に示されるように、被診断者２の頭部の額２５の頭髪２４の生え際は「角額２１」と称される。図１に示される角額２１は、額２５の頭髪２４の生え際のうち「最も後頭部側にまで後退した生え際」を指し示している。「最も後頭部側にまで後退した生え際」は、被診断者によって異なり、例えば、額の中央部の頭髪の生え際（角額２１Ｘ、 図２Ａ参照）であることもあるし、額の両角部の頭髪の生え際（角額２１Ｙ、 図２Ｂ参照）であることもあるが、特に限定されない。
【０００６】
頭頂線２２は耳孔２０と頭頂部２３とを結ぶ直線を意味する。頭頂線２２と角額２１との距離Ｘが所定値未満であるときに、男性型脱毛症が発症していると診断する。ここで、距離Ｘは、被診断者２の側頭部を真横からみたときの平面視における、頭頂線２２と角額２１との距離をいう。男性型脱毛症の発症基準は、前述のハミルトン分類では距離Ｘを３ｃｍと設定したが（３ｃｍ未満であるときに発症していると診断する）、ハミルトン分類の改訂版であるノーウッド分類では２ｃｍに変更された。
【０００７】
なお、脱毛部を測定するための脱毛部サイズ測定用定規（特許文献１）や、頭部撮影画像を用いた脱毛度を測定する方法（特許文献２）などが知られているが、いずれも、男性型脱毛症の診断手法を提供するものではない。
【先行技術文献】
【特許文献】
【０００８】
【特許文献１】実用新案登録第３１６３１３５号
【特許文献２】特開平４−９１０１７号
【非特許文献】
【０００９】
【非特許文献１】ザガーロ（登録商標）カプセル0.1mg／ザガーロ（登録商標）カプセル0.5mg医薬品添付文書
【非特許文献２】プロペシア（登録商標）錠0.2mg／プロペシア（登録商標）錠1mg医薬品添付文書
【非特許文献３】専門医が語る毛髪化学最前線  集英社新書  ２０１５年７月６日第四刷発行
【非特許文献４】Journal of Cutaneous and Aesthetic Surgery. Jan-Mar 2016;9(1):3-12.  “Classifications of Patterned Hair Loss: A Review”
【非特許文献５】1633921187325_02009 Jul-Dec; 1(2): 120-122. “Reliability of Hamilton-Norwood Classification”
【非特許文献６】総合臨床 1953年 2巻 101〜106ページ
【考案の概要】
【考案が解決しようとする課題】
【００１０】
前述の通り、男性型脱毛症の診断は、頭頂線と角額との距離に基づいて行われるが、この診断を簡易に行うことができれば便利である。このような事情に鑑みて、本考案者は、当該診断を簡易に行うことができる診断用具を提供する。
【課題を解決するための手段】
【００１１】
本考案は、以下に示す通りである。
［１］被診断者の男性型脱毛症を診断するための診断用具であって：前記被診断者の頭頂線に位置合わせするための基準線と、前記基準線からの距離を表す目盛と、が示されたシート状部材を含む；前記被診断者の頭長線と角額との距離を測定するための、診断用具。
［２］前記基準線の上に、前記被診断者の耳孔に位置合わせするための基準点が示されている、上記［１］に記載の診断用具。
［３］前記目盛が、男性型脱毛症の診断基準に基づいた距離を表す、前記［１］又は［２］に記載の診断用具。
［４］前記目盛が、ハミルトン分類又はノーウッド分類による男性型脱毛症の診断基準に基づいた距離を表す、前記［１］〜［３］のいずれかに記載の診断用具。
［５］前記目盛が、２ｃｍまたは３ｃｍを表す、前記［１］〜［４］のいずれかに記載の診断用具。
［６］前記シート状部材が可撓性を有する、前記［１］〜［５］のいずれかに記載の診断用具。
［７］前記シート状部材の少なくとも一部は透明である、前記［１］〜［６］のいずれかに記載の診断用具。
【考案の効果】
【００１２】
本考案に係る男性型脱毛症の診断用具によれば、男性型脱毛症の診断を簡易に行うことができるので、特に、医療関係者による診断の利便性を高めることができる。それにより、男性型脱毛症の治療（薬物治療を含む）を効果的にすることが期待される。
【図面の簡単な説明】
【００１３】
【図１】被診断者の頭髪の発毛状態を示す模式図
【図２Ａ】被診断者の頭髪の発毛状態を示す模式図
【図２Ｂ】被診断者の頭髪の発毛状態を示す模式図
【図３】本考案の実施例１の診断用具を示す模式図
【図４】本考案の実施例１の診断用具を用いて、被診断者の男性型脱毛症の診断を行う様子を示す模式図
【図５】本考案の実施例２の診断用具を示す模式図
【図６】本考案の実施例２の診断用具を用いて、被診断者の男性型脱毛症の診断を行う様子を示す模式図
【考案を実施するための形態】
【００１４】
１．診断用具
本考案に係る診断用具は、被診断者の男性型脱毛症を診断するための器具であり；より具体的には、被診断者の頭頂線と角額との距離を、「所定値」と比較することで、男性型脱毛症の発症の有無を判断するための器具である。頭頂線とは、被診断者の耳孔（耳の穴）と頭頂（背筋を伸ばして顔を前に向けたとき、頭部で最も上方になる部位）とを結ぶ線のことをいう。被診断者の耳孔は、右耳及び左耳のどちらでもよいし、両方について診断してもよい。角額とは、額の頭髪の生え際をいうが、ここでは、角額の先端（被診断者の最も後頭部側に位置する生え際）をいう。
【００１５】
男性型脱毛症の診断は、頭頂線と角額との距離を「所定値」と比較することで行う。ハミルトン分類によれば、頭頂線と角額との距離が３ｃｍ以下となったときに、男性型脱毛症の発症と定義されていることから、所定値は３ｃｍとなる。また、ハミルトン分類が1970年代に改訂されたノーウッド分類によれば、頭頂線と角額との距離が２ｃｍ以下となったときに、男性型脱毛症の発症と定義されていることから、所定値は２ｃｍとなる。また、他の診断基準があれば、それに基づいて「所定値」を設定すればよい。
【００１６】
本考案に係る診断用具は、シート状部材を含む。当該シート状部材には、被診断者の頭頂線に位置合わせするための「基準線」と、前記基準線からの距離を表す「目盛」と、が示されている。基準線は、被診断者の頭部に沿って耳孔と頭頂とをつなぐ長さを有する直線であり、通常は、２０ｃｍ〜３０ｃｍの直線に設定される。目盛は、基準線からの距離を示し、被診断者の頭頂線と角額との距離を測定するためのものである。目盛は、男性型脱毛症の診断基準に基づいて設定されることができ、好ましくは、基準線から２ｃｍまたは３ｃｍの距離を表す。
【００１７】
シート状部材には、基準線の上に、被診断者の耳孔に位置合わせするための基準点が示されていてもよい。シート状部材に基準点が示されていれば、診断の際に、シート状部材の基準線を、被診断者の頭頂線に合わせやすくなる。
【００１８】
シート状部材の材質は特に限定されないが、一般的には樹脂またはプラスチックからなる。シート状部材は、可撓性（たわみ特性）を有することが好ましい。可撓性を有するシート状部材であれば、診断の際に、被診断者の頭頂線と、シート状部材の基準線とを、被診断者の頭部の外形状に沿って位置合わせすることができる。そのため、本考案に係る診断用具を用いて、被診断者の頭頂線と角額との距離を、より測定しやすくなる。
【００１９】
また、シート状部材は、その一部または全部が透明であってもよい。例えば、基準線付近のシート状部材が透明であれば、被診断者の頭頂線に基準線を位置合わせしやすくなり、目盛付近のシート状部材が透明であれば、被診断者の頭頂線と角額との距離を、より測定しやすくなる。
【００２０】
また、シート状部材は、診断者が診断用具を持ちやすくするための把持部（又は持ち手部）を有していてもよい。把持部は、診断者が診断用具を持ちやすいように設けられていればよいが；好ましくは、把持部は、耳孔に位置合わせするべき基準点の近傍に設けられている。診断者が、基準点を、被診断者の耳孔に位置合わせしやすくなるからである。さらに、把持部は、基準線に対して、目盛が示されている側とは反対側に設けられているか（図３参照）、診断用具下部に目盛に重ならないように設けられている（図５参照）ことが好ましい。把持部をつかむ診断者の手が、シート状部材の目盛に重なることで、測定しにくくなることを防ぐためである。
【００２１】
さらに、シート状部材には、診断用具を被診断者の耳に掛けるための耳掛け部を有していてもよい（図５参照）。耳掛け部は、被診断者の耳孔に位置合わせする基準点の近傍であって、基準線について目盛の反対側に設けられた突起である。シート状部材に耳掛け部を設けることで、診断用具を安定させた状態で、基準線を被診断者の頭頂線に位置合わせすることができる。
【００２２】
２．診断方法
本考案に係る診断用具を用いることで、被診断者について男性型脱毛症の診断、より具体的には、男性型脱毛症の発症の有無についての診断を、容易に行うことができる。当該診断の手順は、以下の1〜3のステップを含む。なお、診断者は、被診断者自身（自分自身）であってもよいし、皮膚科などの医療機関の医師であってもよい。
【００２３】
ステップ1： 被診断者の頭頂線に、シート状部材に示された基準線を位置合わせする
被診断者の頭頂線に、診断用具のシート状部材に示された基準線を位置合わせする。シート状部材に把持部があれば、診断者は把持部をもつことで、位置合わせをすることができる。なお、シート状部材に示された目盛が、被診断者の前頭部側になるように、シート状部材を位置合わせする。
【００２４】
ステップ1において、シート状部材に、被診断者の耳孔に位置合わせするべき基準点が示されていれば、基準線を頭頂線に位置合わせしやすい。また、シート状部材が透明であれば、基準線と頭頂線とを、より正確に位置合わせすることができる。さらに、シート状部材に可撓性があれば、シート状部材をしならせることで、被診断者の耳孔及び頭頂部の両方にシート状部材を近づけたり、接触させることができるので、基準線と頭頂線とをより正確に位置合わせすることができる。
【００２５】
ステップ2：被診断者の頭頂線と角額との距離を測定する
ステップ1で、被診断者の頭頂線に診断用具の基準線を位置合わせしたら、その状態で、シート状部材の目盛を参照して、被診断者の頭頂線と角額との距離を測定する。ここで角額とは、被診断者の頭部の額の頭髪の生え際であって、最も後頭部側に後退した生え際を意味する（図２Ａ及び図２Ｂを参照）。また、頭頂線と角額との距離とは、被診断者の側頭部を真横からみたときの平面視における距離をいう。ここで、シート状部材が透明であれば、シート状部材の目盛と、被診断者の角額とを、両者が重なった状態で同時に視認することができるので、より正確に、被診断者の頭頂線と角額との距離を測定することができる。
【００２６】
ステップ3：男性型脱毛症を診断する
ステップ2 で測定した被診断者の頭頂線と角額との距離に基づいて、被診断者について男性型脱毛症を診断する。例えば、（1970年代にハミルトン分類を改定した）ノーウッド分類によれば、頭頂線と角額との距離が２ｃｍ以下であるときに、男性型脱毛症が発症していると定義されているので、ステップ2で測定した距離が２ｃｍ以下であれば、男性型脱毛症であると診断する。また、シート状部材の目盛が２ｃｍを表していれば、目盛の位置と角額の位置とを比較することで、診断がより容易に行える。
【００２７】
このようにして得られた診断結果は、男性型脱毛症の治療の必要性や、どのような治療（薬物治療を含む）が望ましいかの判断材料とすることができる。
【実施例】
【００２８】
以下において、実施例を参照して本考案を説明するが、本実施例は本考案の技術的範囲を制限するものではない。
【００２９】
［実施例１］
図３には、実施例１の診断用具１が示される。診断用具１は、シート状部材１０を有する。シート状部材１０は樹脂製であり、全体が透明であり、可撓性を有している。シート状部材１０は、測定部１５と把持部１４とを含む。測定部１５には、基準線１１と、基準線１１からの距離を示す目盛１２と、基準線１１上にある基準点１３とが示されている（例えば、印刷されている）。実施例１の診断用具１の目盛１２は、基準線からの距離である２ｃｍ及び３ｃｍを表示している。これは、ハミルトン分類または（1970年代にハミルトン分類を改定した）ノーウッド分類によれば、頭頂線と角額との距離が３ｃｍ又は２ｃｍ未満であるときに男性型脱毛症を発症していると定義されているからである。また、把持部１４は、基準線１１について、目盛１２とは反対側に設けられており、基準点１３の近傍に設けられている。実施例1の診断用具１の把持部１４には、耳の形状を模した図柄が印刷されている。
【００３０】
図４には、実施例１の診断用具１を用いて、被診断者２の男性型脱毛所の診断をしている状態を示している。被診断者の耳孔２０に基準点１３を位置合わせしつつ、頭頂線２２に基準線１１を位置合わせする。診断者は、シート状部材１０の把持部１４をもって位置合わせすることができる。位置合わせをしたら、被診断者の角額２１の先端と、目盛１２とを比較することで、被診断者の頭頂線２２と角額２１との距離を測定する。図４では、被診断者の頭頂線２２と角額２１との距離が２ｃｍを少し下回っているので、男性型脱毛症を発症している、と診断されうる。
【００３１】
［実施例２］
図５には、実施例２の診断用具１Ａが示される。診断用具１Ａは、診断用具１と同様に、シート状部材１０Ａを有するが、シート状部材１０Ａは、測定部１５Ａと把持部１４Ａと耳掛け部１６Ａとを含む。測定部１５Ａには、測定部１５と同様に、基準線１１Ａと、基準線１１Ａからの距離を示す目盛１２Ａと、基準線１１Ａ上にある基準点１３Ａとが示されている。目盛１２Ａは、２ｃｍを表示している。把持部１４Ａは、把持部１４とは異なり、診断用具１Ａ下部に目盛１２Ａに重ならないように設けられている。
【００３２】
そして、実施例２のシート状部材１０Ａは、耳掛け部１６Ａを有する。耳掛け部１６Ａは、基準点１３Ａの近傍に設けられた、基準線１１Ａについて目盛１２Ａとは反対側に延びる突起である。図６に示すように、耳掛け部１６Ａを耳に掛けることで、安定した状態でシート状部材１０Ａの基準線１１Ａと、被診断者２の頭頂線２２とを位置合わせすることができる。
【００３３】
図６には、実施例２の診断用具１Ａを用いて、被診断者２の男性型脱毛症の診断をしている状態を示している。被診断者２の耳孔２０に基準点１３Ａを位置合わせしつつ、頭頂線２２に基準線１１Ａを位置合わせする。このとき、耳掛け部１６Ａを被診断者２の耳に掛けているので、耳掛け部１６Ａを支点にして位置合わせを行うことができる。位置合わせをしたら、被診断者２の角額２１の先端と、目盛１２Ａとを比較することで、被診断者２の頭頂線２２と角額２１との距離を測定する。図６では、被診断者２の頭頂線２２と角額２１との距離が２ｃｍを超えているので、男性型脱毛症を発症してはいない、と診断されうる。
【産業上の利用可能性】
【００３４】
本考案に係る診断用具によれば、男性型脱毛症の診断を容易にすることができるので、被診断者における男性型脱毛症に対する治療の必要性や、適切な治療薬物の選択など、好ましい治療法を適用することに寄与する。
【符号の説明】
【００３５】
１, １Ａ  診断用具
１０，１０Ａ  シート状部材
１１，１１Ａ  基準線
１２，１２Ａ  目盛
１３，１３Ａ  基準点
１４，１４Ａ  把持部
１５，１５Ａ  測定部
１６Ａ  耳掛け部
２  被診断者
２０  耳孔
２１，２１Ｘ，２１Ｙ  角額
２２  頭頂線
２３  頭頂部
２４  頭髪
２５  額
【図１】
0003235509.tif 000003
【図２Ａ】
0003235509.tif 000004
【図２Ｂ】
0003235509.tif 000005
【図３】
0003235509.tif 000006
【図４】
0003235509.tif 000007
【図５】
0003235509.tif 000008
【図６】
0003235509.tif 000009